(57)【特許請求の範囲】
【請求項１】
水洗トイレの便器のリムに取り付けられる薬剤供給具であって、
固形薬剤と、
前記固形薬剤を支持する支持部材と、
前記固形薬剤をリムに吊り掛けるための吊掛部材と、
前記支持部材と前記吊掛部材とを連結する連結部材と、を備え、
前記吊掛部材は、上下方向に延びて、下端部に前記連結部材が接続される支柱部と、前記支柱部の上端部に接続される係止片とを備え、
前記支持部材は、前記支柱部に対して上部よりも下部が前記係止片側へ離れるように斜めに傾斜し、
前記連結部材は、前記固形薬剤が便器の内面から押されるとき、前記吊掛部材側の接続部分を支点に下方へ撓むことにより、便器の内面から離れる方向に弾性変形する薬剤供給具。
【請求項２】
前記連結部材は、便器のリムに取り付けられたときに便器の内面側に向かって突き出る凸状をなす請求項１に記載の薬剤供給具。
【請求項３】
前記連結部材は、凸曲面状に湾曲した形状に形成されている請求項２に記載の薬剤供給具。
【請求項４】
前記連結部材及び前記支持部材は、便器の内面とは反対側に向かって突き出る角を形成するように、接続されている請求項１〜３のいずれかに記載の薬剤供給具。
【請求項５】
前記支持部材は、中心部から放射状に延びる複数の板材により構成され、いずれか１つの前記板材の先端部が前記連結部材に接続され、前記中心部及び前記板材の先端部には、表裏面からピン状の突起が突き出ている請求項１〜４のいずれかに記載の薬剤供給具。
【発明の詳細な説明】
【技術分野】
【０００１】
本発明は、薬剤供給具に関し、特に、水洗トイレの便器のリムに取り付けられる薬剤供給具に関する。
【背景技術】
【０００２】
従来から、水洗トイレの便器を洗浄したり、便器への汚れの付着を防止したり、臭気の消臭や芳香を漂わせたりするために、便器のリムに取り付けられて使用される薬剤供給具が提案されている（例えば特許文献１を参照）。特許文献１に記載の薬剤供給具は、図２２に示すように、固形薬剤１００と、固形薬剤１００を支持する支持部材１０２と、固形薬剤１００を便器のリムに吊り掛けるための吊掛部材１０１と、支持部材１０２と吊掛部材１０１とを連結する連結部材１０５とを備えている。吊掛部材１０１は、上下方向に延びる柱部１０３と、柱部１０３の上端部に接続され、変形可能に折り曲げられた帯状の係止片１０４とを備える。係止片１０４を押し広げ、柱部１０３をリムの内面に当接させながら係止片１０４の先端をリムの外面に当接させ、柱部１０３との間でリムを挟むことで、薬剤供給具が便器のリムに取り付けられる。そして、支持部材１０２に支持された固形薬剤１００が、水洗トイレの水洗時にリムの裏側の給水孔から流出するフラッシュ水に晒されることで、薬剤がフラッシュ水に溶出して便器に供給される。
【先行技術文献】
【特許文献】
【０００３】
【特許文献１】国際公開公報ＷＯ２０１１／１４１７２０号
【発明の概要】
【発明が解決しようとする課題】
【０００４】
特許文献１に記載の薬剤供給具では、図２３（Ａ）に示すように、連結部材１０５が直線状に形成され、かつリブ１０８により補強されて剛性が高められているため、変形しにくくなっている。よって、図２３（Ｂ）に示すように、薬剤供給具のリム１０６への取り付け時に固形薬剤１００の下端部が便器の内面１０７に当たって便器の内面１０７から押されると、支持部材１０２が連結部材１０５に対して折れ曲がり、固形薬剤１００は、その姿勢・向きが少し前方に倒れるように傾斜した状態に変わる。このような状態においては、固形薬剤１００は便器の内面１０７に当接した状態が維持されるので、水洗トイレの水洗時に便器の内面１０７を伝って流れるフラッシュ水に固形薬剤１００が晒される。
【０００５】
しかしながら、便器の内面１０７の形状によっては、薬剤供給具がリム１０６に完全に取り付けられる前に連結部材１０５が便器の内面１０７に当たる場合がある。その場合、図２３（Ｃ）に示すように、連結部材１０５は剛性が高められているためにあまり変形せず、柱部１０３の下端部が反るように変形することで、支持部材１０２は下端部が持ち上がるように傾斜する。その結果、固形薬剤１００は、その姿勢・向きがさらに変わって便器の内面１０７から完全に浮き上がってしまい、便器の内面１０７に当接しない状態となる。この状態で、薬剤供給具がリム１０６に取り付けられると、固形薬剤１００が水洗時に便器の内面１０７を伝って流れるフラッシュ水と接触することができず、薬剤による便器の洗浄や芳香などの効果を得られないという問題があった。
【０００６】
本発明は、上記した問題に着目してなされたものであり、便器の内面の形状によらず、固形薬剤を便器の内面に当接させて、薬剤による便器の洗浄や芳香などの効果を安定して得ることができる薬剤供給具を提供することを目的とする。
【課題を解決するための手段】
【０００７】
本発明の上記目的は、水洗トイレの便器のリムに取り付けられる薬剤供給具であって、固形薬剤と、前記固形薬剤を支持する支持部材と、前記固形薬剤をリムに吊り掛けるための吊掛部材と、前記支持部材と前記吊掛部材とを連結する連結部材と、を備え、前記連結部材は、前記固形薬剤が便器の内面から押されるとき、前記吊掛部材側の接続部分を支点に下方へ撓むことにより、便器の内面から離れる方向に弾性変形する薬剤供給具によって達成される。
【０００８】
本発明の好ましい実施態様においては、前記連結部材は、便器のリムに取り付けられたときに便器の内面側に向かって突き出る凸状をなすことを特徴としている。
【０００９】
本発明のさらに好ましい実施態様においては、前記連結部材は、凸曲面状に湾曲した形状に形成されていることを特徴としている。
【００１０】
本発明のさらに好ましい実施態様においては、前記連結部材及び前記支持部材は、接続部分に便器の内面とは反対側に向かって突き出る角を形成するように、接続されていることを特徴としている。
【００１１】
本発明のさらに好ましい実施態様においては、前記支持部材は、中心部から放射状に延びる複数の板材により構成され、いずれか１つの前記板材の先端部が前記連結部材に接続され、前記中心部及び前記板材の先端部には、表裏面からピン状の突起が突き出ていることを特徴としている。
【００１２】
本発明のさらに好ましい実施態様においては、前記吊掛部材は、上下方向に延び、前記連結部材が接続される支柱部を備え、前記支柱部は、厚みが２ｍｍ〜５ｍｍであることを特徴としている。
【発明の効果】
【００１３】
本発明に係る薬剤供給具によると、便器の内面の形状によらず、固形薬剤を便器の内面に当接させることができるので、固形薬剤を水洗トイレの水洗時に便器の内面をつたって流れるフラッシュ水に晒すことができる。よって、薬剤による便器の洗浄や芳香などの効果を安定して得ることができる。
【図面の簡単な説明】
【００１４】
【図１】本発明の一実施形態に係る薬剤供給具の斜視図である。
【図２】図１の側面図である。
【図３】図１の薬剤供給具の固形薬剤を省略した状態の前方斜視図である。
【図４】図３の側面図である。
【図５】図３の正面図である。
【図６】図３の背面図である。
【図７】図３の平面図である。
【図８】図３の底面図である。
【図９】本発明の他の実施形態に係る薬剤供給具の斜視図である。
【図１０】図９の側面図である。
【図１１】図２及び図１０の薬剤供給具を便器のリムに取り付ける過程を説明する説明図である。
【図１２】本発明の他の実施形態に係る薬剤供給具の斜視図である。
【図１３】図１２の側面図である。
【図１４】図１２の平面図である。
【図１５】図１２の底面図である。
【図１６】本発明の他の実施形態に係る薬剤供給具の斜視図である。
【図１７】図１６の側面図である。
【図１８】本発明の他の実施形態に係る薬剤供給具の斜視図である。
【図１９】図１８の側面図である。
【図２０】図１８の背面図である。
【図２１】図１８の底面図である。
【図２２】従来例の薬剤供給具の斜視図である。
【図２３】従来例の薬剤供給具を便器のリムに取り付ける過程を説明する説明図である。
【発明を実施するための形態】
【００１５】
以下、本発明の実態形態について添付図面を参照して説明する。図１及び図２は、本発明の一実施形態に係る薬剤供給具１の外観構成を示している。また、図３〜図８は、固形薬剤２の図示を省略した状態の薬剤供給具１の外観構成を示している。なお、以下の説明においては、説明の便宜上、図２の上下方向を上下方向、左右方向を前後方向と称し、左側を前方向（便器の内面側）、右側を後方向（便器の中心側）とする。そして、他の図面においても、これらを基準として説明する。
【００１６】
本実施形態の薬剤供給具１は、水洗トイレの便器のリムに取り付けられて使用されるものであって、固形薬剤２と、固形薬剤２を支持する支持部材３と、固形薬剤２を便器のリムに吊り掛けるための吊掛部材４と、支持部材３及び吊掛部材４を連結する連結部材５とを備えている。支持部材３、吊掛部材４及び連結部材５は、ポリエチレン、ポリプロピレン、アクリル樹脂などの弾性を有するプラスチックなどで一体形成されている。
【００１７】
固形薬剤２は、洗浄効果を発揮する界面活性成分と、香りを発散させるための芳香成分とが混入されたもので、本実施形態では平たい円盤状を呈している。この固形薬剤２は、水との接触により表面から徐々に溶解することで、薬剤を水に溶出する。固形薬剤２には、他の成分、例えば消臭成分や除菌成分などを混入してもよいし、あるいは芳香成分の代わりに消臭成分を混入してもよい。固形薬剤２の内部に支持部材３が埋没しており、固形薬剤２から露出する支持部材３の先端部が連結部材５を介して吊掛部材４に連結されていることで、吊掛部材４により固形薬剤２は便器のリムに吊り下げられる。なお、固形薬剤２の形態は、本実施形態のような円盤状以外に、角柱状や半球状などの種々の形状とすることができる。また、支持部材３は、上述した特許文献１に記載の薬剤供給具のように、固形薬剤２の外面側に位置し、支持部材３から延びる突起を固形薬剤２に埋没させることによって支持する形態であってもよい。
【００１８】
吊掛部材４は、上下方向に延びる板状の支柱部４０と、支柱部４０よりも厚みの薄い帯状の係止片４１とを備えている。支柱部４０の下端部には連結部材５が接続され、支柱部４０の上端部には係止片４１が接続されている。係止片４１は、支柱部４０の上端部から斜め下方に向けて延びるとともに屈曲部４２において１８０度折り返された形状をしている。係止片４１の先端部４３を手で持って広げて便器のリムの外面に当接させ、リムの内面に当てられる支柱部４０とでリムを弾性力により挟み込むことで、薬剤供給具１がリムに取り付けられる。支柱部４０及び係止片４１は、市販されている一般的な水洗トイレ用の便器のリムに係合させ得る寸法に設定されていればよいが、支柱部４０は、その厚みを２ｍｍ〜５ｍｍ程度とし、係止片４１は、その厚みを１ｍｍ〜３ｍｍ程度とするのが好ましい。このように支柱部４０及び係止片４１の厚みを設定することで、支柱部４０は剛性が高くて弾性変形し難い一方で、係止片４１は手で広げることで容易に弾性変形可能となる。また、支柱部４０の上下方向に延びる長さは４０ｍｍ〜６０ｍｍ程度とし、係止片４１は、支柱部４０の上端部から屈曲部４２までの長さを３５ｍｍ〜５０ｍｍ程度とし、屈曲部４２から先端部４３までの長さを３０ｍｍ〜４５ｍｍ程度とするのが好ましい。
【００１９】
支持部材３は、例えば厚みが０．８ｍｍ〜１．５ｍｍ程度の板状を呈している。本実施形態の支持部材３は、固形薬剤２の略中心に位置する中心部３０と、中心部３０から放射状に延びる複数（図示例では５つ）の板材３１とにより構成されており、全体的な形状が星印状に近い形状を呈している。複数の板材３１のうち、上方に延びる１つの板材３１１が連結部材５に接続されており、当該板材３１１は、その幅が他の板材３１の幅よりも大きく、連結部材５の幅と同じ大きさに設定されている。なお、本実施形態においては、当該板材３１１と連結部材５との接続部分には、便器の中心側に向かって突き出た角（交点）３２が形成されている。
【００２０】
複数の板材３１の先端部及び中心部３０には、表裏面からピン状の突起３３が突き出ている。突起３３が固形薬剤２の内部に埋め込まれることで、支持部材３に支持された固形薬剤２が支持部材３から滑り落ちるなどといったことを防止することができる。なお、突起３３が設けられる位置は、本実施形態のように、複数の板材３１の先端部及び中心部３０に限られるものではなく、適当な位置に設けることができる。
【００２１】
また、本実施形態では、支持部材３は、上下方向に延びる支柱部４０に対して上部よりも下部が係止片４１側へ離れるように斜めに傾斜した状態、つまりは、便器のリムに取り付けられたとき、支持部材３の上部よりも下部が便器の内面に近づくように上下方向（支柱部４０）に対して少し後方に倒れた傾斜状態で連結部材５に接続されている。よって、支持部材３に支持された固形薬剤２は、便器のリムに取り付けられたとき、その姿勢・向きが便器の内面側に向かって斜め下方に延びるように傾斜した状態となる。この支持部材３の支柱部４０に対する傾斜角度θ（図２及び図４に示す）は、１５度〜４５度、好ましくは２５度〜３５度に設定されている。上記した傾斜角度θの範囲内であれば、詳細は後述するが、種々の内面形状の便器に対して薬剤供給具１を使用しても、固形薬剤２による便器の洗浄や芳香などの効果をさらに安定して得ることができる。
【００２２】
連結部材５は、支柱部４０や係止片４１よりも厚みが薄く、例えば厚みが０．８ｍｍ〜１．５ｍｍ程度の板状を呈しており、固形薬剤２を吊り下げただけ、つまりは、固形薬剤２の重量のみではあまり下方に撓まないが、所定の力が作用すると、支柱部４０（吊掛部材４側）の接続部分４４を支点に下方に撓んで弾性変形する程度の剛性（可撓性）を有している。また、連結部材５は、斜め上方の係止片４１側に向かって、つまり、便器のリムに取り付けられたときに便器の内面側に向かって突き出る凸状をなしており、本実施形態では、滑らかに湾曲する凸曲面状に形成されていて、例えばその曲率半径は１５ｍｍ〜２５ｍｍ程度に設定するのが好ましい。凸曲面とは、円弧状又は円弧に近似した形状を含む。なお、連結部材５は、必ずしも凸曲面状に形成されている必要はなく、図９及び図１０に示す実施形態の薬剤供給具１のように、直角又はほぼ直角に折り曲げられて角５０を有するＬ字状に形成されていてもよい。このように、連結部材５が便器の内面側に向かって凸状をなしていることで、支柱部４０の下端部から単に斜め下方に直線状に延びているよりも（図１６，１７を参照）、容易に撓んで弾性変形しやすくなっている。また、図１１に示すように、支柱部４０及び連結部材５の接続部分４４と、連結部材５及び支持部材３の接続部分（交点３２）とを通る平面Ｓを仮定した場合、連結部材５は、図２に示す本実施形態のように凸曲面状に形成されている方が、図１０に示す実施形態のようにＬ字状に形成されているよりも、平面Ｓから連結部材５の頂部位置Ｏ，Ｏ´までの高さが低くなる。つまり、便器のリムＬに取り付けられる際に頂部位置Ｏが頂部位置Ｏ´よりも便器の内面Ｉから離れたところに位置する。よって、薬剤供給具１の便器のリムＬへの取り付け時において、連結部材５が便器の内面に近づけられたとき、薬剤供給具１が便器のリムに完全に取り付けられる前に連結部材５が便器の内面Ｉに当たるおそれを少なくすることができる。
【００２３】
また、連結部材５が、図２に示す本実施形態のような凸曲面状に形成されていると、図９及び図１０に示す実施形態のようなＬ字状に形成されているよりも、後述するように固形薬剤２の下端部が便器の内面に当たった際に撓んで弾性変形しやすくなる。よって、連結部材５の頂部位置Ｏが便器の内面から離れる方向に移動しやすくなるため、薬剤供給具１を便器のリムに取り付ける際に、連結部材５が便器の内面に当たるおそれをより少なくすることができる。
【００２４】
なお、図示は省略するが、連結部材５は、本実施形態（図２）とは反対に、斜め下方の係止片４１とは反対側に向かって、つまりは、便器のリムに取り付けられたときに便器の中心側に向かって凸状をなして湾曲する凸曲面状に形成されていてもよい。
【００２５】
上記した本実施形態の薬剤供給具１は、吊掛部材４の支柱部４０を便器のリムの内面に当接させるとともに係止片４１の先端部４３をリムの外面に当てがい係止させることで、リムに取り付けられる。ここで、薬剤供給具１を便器のリムに取り付ける際に、固形薬剤２の下端部が便器の内面に当たって便器の内面から押されると、固形薬剤２は、連結部材５が撓んで弾性変形することにより、前方に倒れるようにその姿勢・向きが変えられる。そして、固形薬剤２の少なくとも一部分が便器の内面に当接した状態が維持されることで、水洗トイレの水洗時に便器の内面を伝って流れるフラッシュ水に固形薬剤２を晒すことができる。よって、便器に薬剤を安定して供給することができる。なお、本実施形態では、固形薬剤２の姿勢・向きが予め少し後方に倒れた傾斜状態で支持されているので、固形薬剤２が便器の内面から押されても、固形薬剤２は鉛直方向を向くかあるいは多少前方に倒れる程度に傾斜した状態となる。したがって、固形薬剤２の下端部を便器の内面に良好に当接させた状態で、薬剤供給具１をリムに吊り掛けることができる。よって、水洗時に便器の内面を流れるフラッシュ水を固形薬剤２に効果的に受けさせることができる。
【００２６】
また、固形薬剤２が便器の内面から押されると、連結部材５は、支持部材３側の接続部分３２が便器の内面から離れる方向に移動するが、その際に支柱部４０（吊掛部材４）側の接続部分４４を支点に下方へ撓む。したがって、連結部材５は、全体として便器の内面から離れるように弾性変形する。便器の内面の形状によっては、薬剤供給具１が便器のリムに完全に取り付けられる前に連結部材５が便器の内面に当たるおそれがある。しかしながら、本実施形態では、連結部材５が便器の内面に近づけられても、固形薬剤２が便器の内面から押されて連結部材５が下方へ撓むことにより、連結部材５が便器の内面から離れる方向に変位するので、連結部材５が便器の内面に当たるおそれを少なくすることができる。よって、連結部材５が便器の内面に当たることに伴って固形薬剤２の姿勢・向きが変化するおそれがほとんどなく、固形薬剤２が便器の内面から完全に浮き上がって便器の内面に当接しない状態で薬剤供給具１が吊り掛けられることを防止できる。よって、上述したように、便器の形状によらず安定して薬剤を便器に供給することができる。
【００２７】
なお、本実施形態では、連結部材５が凸曲面状に形成されているため、固形薬剤２が便器の内面から押されることで連結部材５を効果的に便器の内面から離れるように弾性変形させることができる。さらには、上述したように、連結部材５の頂部位置Ｏが便器の内面からより離れたところに位置するので、薬剤供給具１の便器のリムへの取り付け時に、連結部材５が便器の内面に当たるおそれをより少なくすることができる。
【００２８】
また、本実施形態では、薬剤供給具１が便器のリムに完全に取り付けられる前に連結部材５が便器の内面に当たったとしても、固形薬剤２の姿勢・向きが予め少し後方に倒れた傾斜状態となっているので、連結部材５が便器の内面に押されて固形薬剤２の姿勢・向きがさらに前方に倒れるように傾斜する状態になっても、固形薬剤２は便器の内面に当接した状態が良好に維持される。よって、薬剤供給具１が便器のリムに完全に取り付けられる前に連結部材５が便器の内面に当たっても、本実施形態の薬剤供給具１によれば、固形薬剤２が便器の内面から完全に浮き上がって便器の内面に当接しない状態となることを防止することができる。したがって、便器の内面の形状にかかわらず、固形薬剤２を便器の内面に当接した状態で吊り掛けることができる。よって、上述したように、便器の形状によらず薬剤を安定して便器へ供給することができる。
【００２９】
以上、本発明の一実施形態について説明したが、本発明はこの実施形態に限定されるものではなく、その趣旨を逸脱しない限りにおいて種々の変更が可能である。例えば、図１及び図２の実施形態では、支持部材３が中心部３０から放射状に延びる複数の板材３１により構成されているが、１枚の例えば円盤状などの板材により構成されていてもよい。
【００３０】
また、支持部材３は、支柱部４０に対して斜めに傾斜した状態、つまりは、便器のリムに取り付けられたとき、固形薬剤２が少し後方に倒れた傾斜状態となるように、連結部材５に接続されているが、必ずしも支柱部４０に対して斜めに傾斜した状態で連結部材５に接続されている必要はなく、支柱部４０と平行な状態で連結部材５に接続されていてもよい。
【００３１】
また、連結部材５は、図２や図１１に示された形状のものに限られるものではなく、種々の形状とすることができる。例えば図１２〜図２１は、連結部材５の形状が異なる、他の実施形態の薬剤供給具１を示している。なお、基本的な構成は、図１及び図２の実施形態の構成と同様であり、ここでは対応する構成に同一の符号を付することで詳細な説明を省略する。
【００３２】
図１２〜図１５に示す薬剤供給具１は、連結部材５が便器のリムに取り付けられたときに便器の内面側に向かって突き出る凸状をなしているが、連結部材５は板状ではなく棒状を呈しており、２本の細長い棒材５１からなる。２本の棒材５１は、それぞれ平面視Ｖ字状に折り曲げられており、一端部５１Ａが支柱部４０の下端部に、他端部５１Ｂが支持部材３の先端部に、それぞれ接続されるとともに、２本の棒材５１が、一端部５１Ａ側同士のなす角度α１が例えば７０度、他端部５１Ｂ側同士のなす角度α２が例えば９０度となるように対向している。また、側面視から見ると、２本の棒材５１は、例えば９０度に折れ曲がっており、支持部材３は、２本の棒材５１の他端部５１Ｂに対して、図１及び図２の実施形態と同様に、接続部分に便器の中心側に向かって突き出た角（交点）３２を形成するように接続されている。この図１２〜図１５の実施形態では、薬剤供給具１を便器のリムに取り付ける際に、連結部材５が仮に便器の内面に当たっても、主に２本の棒材５１が左右に開くようにして撓むので、固形薬剤２は下端部が持ち上がるように傾斜することが抑制される。よって、固形薬剤２が便器の内面から浮き上がって便器の内面と当接しない状態となることを効果的に防止できる。
【００３３】
次に、図１６及び図１７に示す薬剤供給具１は、連結部材５が板状であるが、平板状を呈しており、支柱部４０の下端部から斜め下方に向けて直線状に延びている。図示例では、連結部材５と支持部材３とが直線状に接続されており、支柱部４０と連結部材５とのなす角度が、支柱部４０に対する支持部材３の傾斜角度θとなっている。なお、支持部材３と連結部材５とを直線状に接続させずに、図１及び図２の実施形態と同様に、連結部材５に対して支持部材３を下方に傾斜させて接続部分に便器の中心側に向かって突き出た角（交点）を形成するようにしてもよい。また、連結部材５の支持部材３側の端部に、上方に向けて半円状に湾曲した湾曲部５２が形成されているが、必ずしも湾曲部５２を形成する必要はない。湾曲部５２が形成されていると、上述した固形薬剤２の下端部が便器の内面に当たった際に、連結部材５は湾曲部５２以下の部分で撓んで固形薬剤２の姿勢・向きが変わりやすくなる。その結果、便器の内面の形状に固形薬剤２の姿勢・向きを追従させて沿わせることができるので、水洗時に便器の内面を流れるフラッシュ水を固形薬剤２に効果的に受けさせることができる。
【００３４】
図１８〜図２１に示す薬剤供給具１は、連結部材５が板状であるが、２つの細長い板材５３からなり、支柱部４０の下端部から斜め下方に向けて平面視Ｖ字をなすように延びている。そして、両板材５３の下端部が、固形薬剤２の上下方向の略中央位置において、固形薬剤２内に埋没した支持部材３と接続部材５４を介して接続されている。よって、この実施形態では、支柱部４０と両板材５３とのなす角度が、支柱部４０に対する支持部材３の傾斜角度θとなっている。この実施形態では、固形薬剤２が２つの板材５３の間で両板材５３に対して接続部材５４を軸に前後に傾動可能である。よって、薬剤供給具１の便器のリムへの取り付け時に固形薬剤２の下端部が便器の内面に当たった際、固形薬剤２の姿勢・向きを便器の内面の形状に追従させて沿わせることができるので、水洗時に便器の内面を流れるフラッシュ水を固形薬剤２に効果的に受けさせることができる。
【００３５】
なお、図１２〜図２１のいずれの実施形態においても、図１及び図２の実施形態と同様に、薬剤供給具１の便器のリムへの取り付け時において、固形薬剤２が便器の内面から押されると、連結部材５は、支柱部４０（吊掛部材４）側の接続部分４４を支点に下方へ撓むので、連結部材５全体として便器の内面から離れるように弾性変形する。よって、連結部材５が便器の内面に近づけられても、便器の内面に当たるおそれを少なくすることができるので、連結部材５が便器の内面に当たることに伴って固形薬剤２の姿勢・向きが変化するおそれがほとんどなく、固形薬剤２が便器の内面から完全に浮き上がって便器の内面に当接しない状態で吊り掛けられることを防止できる。また、支持部材３を支柱部４０に対して傾斜角度θで傾斜させることで、固形薬剤２は、その姿勢・向きが便器の内面側に向かって斜め下方に延びるように傾斜した状態（少し後方に倒れた状態）で、便器のリムに吊り掛けられる。よって、薬剤供給具１の便器のリムへの取り付ける時において、固形薬剤２が便器の内面から押されても、固形薬剤２は、鉛直方向を向くかあるいは多少前方に倒れる程度に傾斜した状態となるだけで、下端部が便器の内面に当接した状態でリムに吊り掛けられるため、水洗トイレの水洗時に便器の内面を伝って流れるフラッシュ水に固形薬剤２を効果的に晒すことができ、便器に薬剤を安定して供給することができる。
【００３６】
また、上記した実施形態では、吊掛部材４の支柱部４０は板状のものであるが、支柱部４０を上下方向に伸縮可能な構成とすることで、便器のリムに対する固形薬剤２の高さを調整可能にすることもできる。
【符号の説明】
【００３７】
１    薬剤供給具
２    固形薬剤
３    支持部材
４    吊掛部材
５    連結部材
３０  中心部
３１  板材
３２  角（交点）
３３  突起
４０  支柱部
θ    傾斜角度
【図１】
0006548902.tif 000002
【図２】
0006548902.tif 000003
【図３】
0006548902.tif 000004
【図４】
0006548902.tif 000005
【図５】
0006548902.tif 000006
【図６】
0006548902.tif 000007
【図７】
0006548902.tif 000008
【図８】
0006548902.tif 000009
【図９】
0006548902.tif 000010
【図１０】
0006548902.tif 000011
【図１１】
0006548902.tif 000012
【図１２】
0006548902.tif 000013
【図１３】
0006548902.tif 000014
【図１４】
0006548902.tif 000015
【図１５】
0006548902.tif 000016
【図１６】
0006548902.tif 000017
【図１７】
0006548902.tif 000018
【図１８】
0006548902.tif 000019
【図１９】
0006548902.tif 000020
【図２０】
0006548902.tif 000021
【図２１】
0006548902.tif 000022
【図２２】
0006548902.tif 000023
【図２３】
0006548902.tif 000024